(57)【要約】【課題】ヒーター線により効率よく加温して結露の発生を確実に防止することができるパチンコ玉揚送機構における揚送パイプを提供する。【解決手段】パチンコ玉をパチンコ機設置島の上部の補給タンクに揚送するためのパチンコ玉揚送機構の揚送パイプ４において、揚送パイプ４を角形パイプ４０としてそのコーナー４１の内側に沿って筒状にヒーター線７の挿入部４２を設けるとともに、挿入部４２の上下に挿通孔４３を設ける。挿通孔４３から挿入部４２にヒーター線７を挿し込んでその両端を挿通孔４３から引き出したうえに緊張させて固定部材８により固定する。【選択図】    図１
2004313317.tif 000002
【特許請求の範囲】
【請求項１】
パチンコ玉をパチンコ機設置島の上部の補給タンクに揚送するためのパチンコ玉揚送機構の揚送パイプにおいて、該揚送パイプを角形パイプとして、その少なくとも一つのコーナーの内側にヒーター線を張設したことを特徴とするパチンコ玉揚送機構の揚送パイプ。
【請求項２】
揚送パイプを横断面正方形の角形パイプとした請求項１に記載のパチンコ玉揚送機構の揚送パイプ。
【請求項３】
揚送パイプのコーナーの内側に沿って筒状にヒーター線の挿入部を設けて、この挿入部にヒーター線を収納した請求項１又は２に記載のパチンコ玉揚送機構の揚送パイプ。
【請求項４】
揚送パイプを金属製のものとした請求項１〜３の何れかに記載のパチンコ玉揚送機構の揚送パイプ。
【発明の詳細な説明】
【０００１】
【発明の属する技術分野】
本発明は、回収したパチンコ球をパチンコ機設置島上部の補給タンクに揚送するためのパチンコ玉揚送機構の揚送パイプに関するものである。
【０００２】
【従来の技術】
パチンコホールにおいては、複数台のパチンコ機がその裏面を対向させて連設されたパチンコ機設置島が配設され、その中央部などにはパチンコ玉を設置島上部に揚送するための揚送機構が設けられている。パチンコ玉の揚送機構として、例えば特開平２００３−７９９２１号公報には、パイプ内につるまきばねを配設しこのつるまきばねの回転によりパチンコ玉を揚送するものが開示されているが、このような方式のものは揚送機構が複雑になって故障を起したり玉が詰まりやすいという欠点がある。
【０００３】
【特許文献１】特開２００３−７９９２１号公報（図１）
【０００４】
そこで、出願人は図６に示すようなパチンコ玉の揚送機構を、特願２００２−３７６６５号として出願した。このパチンコ玉の揚送機構１においては、研磨装置２により研磨されたパチンコ玉をパチンコ玉揚送装置３に送り込み、このパチンコ玉揚送装置３から複数本の揚送パイプ４を介して遊技機設置島上部の補給タンク５に揚送するものである。補給タンク５に揚送されたパチンコ玉は補給樋６を介してそれぞれのパチンコ機（図示していない）に送り込まれてパチンコ玉が補給される。
【０００５】
パチンコ玉揚送装置３は、図７に示す構造のものであって、外周面にパチンコ玉が入る多数の凹部３１を備えた回転盤３２をモーターで駆動し、本体側の円弧状の内壁面３３との間でパチンコ玉を挟みながら押し上げる。そして、パチンコ玉揚送装置３の上部には揚送パイプ４が接続されており、パチンコ玉はこの揚送パイプ４内を一列になって揚送される。
【０００６】
しかしながら、冬季や梅雨時においては揚送パイプ４内外の温度差や大気中の湿気により揚送パイプ４内壁やパチンコ玉表面に結露を生ずることがある。そのために揚送パイプ４の内壁にパチンコ玉によって運ばれた塵芥などがべたついて付着してしまい、パチンコ玉の揚送に支障を来すという問題があった。そこで、本願の発明者らは揚送パイプ４にヒーター線を巻回して加温することを試みたが、ヒーター線の熱が揚送パイプ４の外部に逃げ易く、熱伝達効率の悪いものであったので、十分な結露防止効果を得ることができなかった。
【０００７】
【発明が解決しようとする課題】
本発明は上記した従来の問題点を解決し、ヒーター線により効率よく加温して結露の発生を確実に防止することができるパチンコ玉揚送機構における揚送パイプを提供するためになされたものである。
【０００８】
【課題を解決するための手段】
上記の課題を解決するためになされた本発明のパチンコ玉揚送機構の揚送パイプは、パチンコ玉をパチンコ機設置島の上部の補給タンクに揚送するためのパチンコ玉揚送機構の揚送パイプにおいて、該揚送パイプを角形パイプとして、その少なくとも一つのコーナーの内側にヒーター線を張設したことを特徴とするものである。
【０００９】
なお、揚送パイプを横断面正方形の角形パイプとすることができ、揚送パイプのコーナーの内側に沿って筒状にヒーター線の挿入部を設けて、この挿入部にヒーター線を収納することができ、また、揚送パイプを金属製のものとすることができる。
【００１０】
【発明の実施の形態】
以下に図面を参照しつつ本発明の好ましい実施形態を説明する。
図１〜４は本発明に係る揚送パイプ４を示す図であって、４０は角形パイプ、７はヒーター線である。図示の角形パイプ４０は横断面正方形のものであるが、パチンコ玉が一列になって通過可能な形状であれば長方形などであっても特に差し支えはない。
【００１１】
角形パイプ４０はコーナー４１を有しており、一つのコーナー４１の内側にはヒーター線７の挿入部４２が上下方向に筒状に形成されている。角形パイプ４０の側面の上部と下部にはこの挿入部４２と連通させてヒーター線７の挿通孔４３が２個所に設けられている。そして、ヒーター線７は一方の挿通孔４３から挿入部４２に挿し込まれて他方の挿通孔４３から外部に出るように、コーナー４１の内側に沿って張設されている。
【００１２】
ヒーター線７として、例えば図５に示すようなコード状のものを用いることができる。すなわち、このヒーター線７は、ポリエステルガラス製の芯糸７１にニッケル・クロム製或いは銅ニッケル製の発熱線７２が巻回されたうえに、さらにこの上に塩化ビニル或いはシリコンゴムなどの絶縁体７３が被覆されたものであって、難燃性、柔軟性等を備えたものである。
【００１３】
上記のようなヒーター線７を上部の挿通孔４３から挿入部４２に挿し込んでその先端を垂下しつつ下部の挿通孔４３にまで至らしめた後、先端を摘み出す。その後ヒーター線７の上下両端を引っ張って緊張させた後に薄板、粘着テープなどの固定部材８を用いて揚送管４外部の側壁に固定することによって、簡単にして確実にヒーター線７を揚送管４の内部に張設することができる。ヒーター線７は筒状の挿入部４２によってガードされているので、玉圧が直接懸かることがないので、長時間パチンコ玉を揚送してもヒーター線７が摩擦などによって損耗することはない。
【００１４】
また、揚送パイプ４の材料としてプラスチックを用いた場合には角形パイプ４０とヒーター線７の挿入部４２とを一体に成形することができる。また、角形パイプ４０やヒーター線７の挿入部４２の材料として銅やアルミニウムなどの熱伝導率の高い材料を用いた場合には、ヒーター線７の加熱によって効率的に揚送パイプ４を加温することができる。また、ヒーター線７挿入部４２の側壁には適宜小穴を設けてパチンコ玉通路４４と連通させることによっても、挿入部４２内の暖気がパチンコ玉通路４４に流出することができるので、パチンコ玉通路４４をより効果的に加温することができる。
したがって、営業開始前などにおいて揚送管４を加熱することによって管内での結露の生成を確実に防止できるうえに、パチンコ玉表面に生じた結露がパチンコ玉により運ばれて内壁に付着した場合にもすばやく蒸発させることができるので、内壁がべたついたりすることがない。
【００１５】
【発明の効果】
以上に説明したように、本発明のパチンコ玉揚送機構の揚送パイプは、揚送パイプを横断面正方形などの角形パイプとして、そのコーナーの内側に沿ってヒーター線を張設したことにより、効率よく揚送管を加温して内壁への結露の生成を確実に防止することができ、且つ、パチンコ玉によって運び込まれた水分をもすばやく蒸発させて除去することができる。また、揚送パイプのコーナーの内側に沿って筒状にヒーター線の挿入部を設けて、この挿入部にヒーター線を収納するので、長時間パチンコ玉を揚送してもヒーター線が摩擦などによって損耗することはない。
したがって、本発明のパチンコ玉揚送機構の揚送パイプは、その内壁への水分の付着を確実に防止することができるので、パチンコ玉の揚送に支障を来すことがないという大きな利点を有する。
【図面の簡単な説明】
【図１】本発明の揚送パイプの斜視図である。
【図２】本発明の揚送パイプの内部構造を説明する斜視図である。
【図３】本発明の揚送パイプの側面図である。
【図４】本発明の揚送パイプの水平断面図である。
【図５】ヒーター線の斜視図である。
【図６】パチンコ玉揚送機構を説明する正面図である。
【図７】揚送装置の断面図である。
【符号の説明】
４  揚送パイプ
７  ヒーター線
８  固定部材
４０  角形パイプ
４１  コーナー
４２  ヒーター線の挿入部
４３  ヒーター線の挿通孔
【図１】
2004313317.tif 000003
【図２】
2004313317.tif 000004
【図３】
2004313317.tif 000005
【図４】
2004313317.tif 000006
【図５】
2004313317.tif 000007
【図６】
2004313317.tif 000008
【図７】
2004313317.tif 000009